(57)【要約】【課題】ホスト装置に認識される外部記録媒体毎に簡易かつ迅速に自動実行処理のオン／オフの切替が可能な自動実行制御装置および外部記録装置を提供する。【解決手段】ホスト装置が外部記録装置１００に装着された外部記録媒体２１を認識した時に、外部記録媒体２１にＡＵＴＯＲＵＮ情報がホスト装置側に供給されるところ、このＡＵＴＯＲＵＮ情報を外部記録媒体２１からホスト装置にそのまま供給するのではなく、自動実行制御スイッチ１５の設定内容に応じて起動情報制御部１４が新たに再生した起動情報をホスト装置に供給する。【選択図】図１
2004213427.tif 000002
【特許請求の範囲】
【請求項１】
ホスト装置が外部記録媒体を認識した時に、前記外部記録媒体の所定の記憶領域に格納された自動実行処理の処理手順を含む起動情報を前記ホスト装置に供給する起動情報供給手段と、
前記外部記録媒体に係る前記自動実行処理のオン／オフを設定するための設定手段と、
前記設定手段の設定内容に基づいた起動情報を生成するとともに、生成された当該起動情報が前記ホスト装置に供給されるように前記起動情報供給手段の動作を制御する制御手段と、を備えてなる自動実行制御装置。
【請求項２】
前記設定手段は、装置本体の外側に形成されるとともに、オン／オフの切替が可能なスイッチであることを特徴とする請求項１に記載の自動実行制御装置。
【請求項３】
前記設定手段は、前記ホスト装置に認識される前記外部記録媒体毎の前記起動情報を記録する記録部であり、
前記制御手段は、前記ホスト装置が前記外部記録媒体を認識した時に当該外部記録媒体に係る起動情報を前記記録部から取得することを特徴とする請求項１に記載の自動実行装置。
【請求項４】
ホスト装置の主記憶装置の記憶内容を保存するとともに、前記主記憶装置に対して適宜保存内容を供給する外部記録装置において、
請求項１〜３に記載の自動実行制御装置を備えたことを特徴とする外部記録装置。
【発明の詳細な説明】
【０００１】
【発明の属する技術分野】
この発明は、ホスト装置が外部記録媒体を認識した時に行われる自動実行処理を制御する自動実行制御装置および当該自動実行制御装置を搭載した外部記録装置に関する。
【０００２】
【従来の技術】
従来、パソコン等のホスト装置において、フレキシブルディスクやＣＤ−ＲＯＭ等の外部記録媒体に格納されているプログラムを実行する場合には、原則として当該外部記録媒体の所定のファイルを指定して実行するコマンドを入力する必要があったが、近年では、ホスト装置が外部記録媒体を認識した時にこの外部記録媒体の所定の領域に格納された起動プログラム等によって、所定のプログラムを自動的に実行する自動実行機能（ＡＵＴＯＲＵＮ）が広く用いられるようになっている。
【０００３】
この自動実行機能とは、例えば、ＤＶＤやオーディオＣＤ等の媒体の挿入した場合に上述の起動プログラム等によって、ホスト装置側が対応するプレーヤプログラムを自動的に起動し自動再生等を行う機能であり、この自動実行機能によって上述のコマンドの入力作業を不要にすることができる等、ユーザの作業労力の軽減を図ることが可能になる。また、このため、最近ではこの自動実行機能がさまざまな技術にも応用されるようになっている（例えば、特許文献１および特許文献２参照。）。
【０００４】
ところが、自動実行機能が適用される外部記録媒体、すなわち起動プログラム等を格納している外部記録媒体はホスト装置に認識されると常に自動実行処理を行うため、場合によってはユーザに不便を感じさせる結果になることがある。例えば、ユーザが当該外部記録媒体に格納されているデータの参照のみを目的として当該外部記録媒体をホスト装置に読み取らせる場合にも前記自動実行処理が開始されるのであれば、ユーザ側でわざわざ起動中のプログラムの動作を停止させるという手間が生じる。
【０００５】
また、初心者のユーザにおいては、アプリケーションソフトを格納したＣＤ−ＲＯＭ等がドライブに挿入されるたびにインストール画面が起動すると、意図せずにプログラムのインストールを行ってしまう虞がある。
【０００６】
そこで、従来では、ユーザが意図的に上述の自動実行処理を解除したい場合は、ホスト装置側の設定を変えたり、一部のＯＳにおいては所定のキー操作を行いつつ外部記録媒体をホスト装置に認識させる等の操作を行うことで、上述の自動実行処理の制御を行っていた。
【０００７】
【特許文献１】
特開２００２−２８７９１１（段落番号００２３〜００２９）
【特許文献２】
特開２００２−１２３４３９（段落番号００１９）
【発明が解決しようとする課題】
しかしながら、上述のようにホスト装置側の設定を変える場合には、ホスト装置のレジストリの設定等を変化させることが必要になり、ホスト装置側のＯＳの取り扱いに不慣れな初心者が適正に自動実行処理の制御を行うことができないという不都合がある。
【０００８】
また、ホスト装置側の操作によって自動実行処理の制御を行うためには、ホスト装置側に当該制御が可能なＯＳがインストールされている必要がある等、特定のＯＳの機能によらなければこのような制御を行うことができないという不都合があった。このため、従来、ユーザが任意にそれぞれの外部記録媒体毎に自動実行処理のオン／オフを設定することは容易ではなかった。
【０００９】
この発明の目的は、ホスト装置に認識される外部記録媒体毎に簡易かつ迅速に自動実行処理のオン／オフの切替が可能な自動実行制御装置および外部記録装置を提供することである。
【００１０】
【課題を解決するための手段】
この発明は以下の構成を備えている。
【００１１】
（１）ホスト装置が外部記録媒体を認識した時に、前記外部記録媒体の所定の記憶領域に格納された自動実行処理の処理手順を含む起動情報を前記ホスト装置に供給する起動情報供給手段と、
前記外部記録媒体に係る前記自動実行処理のオン／オフを設定するための設定手段と、
前記設定手段の設定内容に基づいた起動情報を生成するとともに、生成された当該起動情報が前記ホスト装置に供給されるように前記起動情報供給手段の動作を制御する制御手段と、を備えてなることを特徴とする。
【００１２】
この構成においては、外部記録媒体がホスト装置に認識された時にこの外部記録媒体について自動実行処理を行うか否かの設定が、ホスト装置とは別個に配置される設定手段を介して行われ、制御手段によって設定手段における設定内容が解析されるとともに、前記制御手段に制御される起動情報供給手段によって当該解析結果に基づく起動情報がホスト装置側に供給される。
【００１３】
したがって、前記設定手段を介してユーザが意図する設定内容が設定されると、ホスト装置が外部記録媒体を認識した際に、ユーザの意図どおりの起動情報がホスト装置側に供給されるため、ホスト装置側で特段の操作を行うことなく、簡易かつ迅速にホスト装置に認識された外部記録媒体に係る自動実行処理のオン／オフ等の制御が実行される。
【００１４】
（２）前記設定手段は、装置本体の外側に形成されるとともに、オン／オフの切替が可能なスイッチであることを特徴とする。
【００１５】
この構成においては、自動実行処理のオン／オフ等の設定が、自動実行制御装置におけるユーザの手が容易に届く位置に設けられたスイッチのオン／オフを切り替えることによって行われる。したがって、ホスト装置に接続される外部記録媒体が多数種類ある場合でも、それぞれの外部記録媒体をホスト装置に認識させる際に適宜スイッチの切替を行うことで、容易に当該外部記録媒体に係る自動実行処理のオン／オフ等の制御が実行される。
【００１６】
（３）前記設定手段は、前記ホスト装置に認識される前記外部記録媒体毎の前記起動情報を記録する記録部であり、
前記制御手段は、前記ホスト装置が前記外部記録媒体を認識した時に当該外部記録媒体に係る起動情報を前記記録部から取得することを特徴とする。
【００１７】
この構成においては、ホスト装置に接続される複数の外部記録媒体のそれぞれに付与されているボリュームラベルやシリアル番号等の各外部記録媒体を特定する情報と各外部記録媒体の自動実行処理の設定内容との対応関係が記録部に記録されており、前記記録部の記録内容を取得する制御手段によってホスト装置が認識した外部記録媒体について自動実行処理を行うか否かが解析され、前記制御手段に制御される起動情報供給手段によって当該解析結果に基づく起動情報がホスト装置側に供給される。
【００１８】
したがって、予め必要な範囲で各外部記録媒体に係る自動実行処理のオン／オフの制御に係る起動情報を記録部に記録しておくことで、それ以後に特段の操作を行うことがなくても当該外部記録媒体についてユーザの意図どおりに自動実行処理の制御が行われる。
【００１９】
（４）ホスト装置の主記憶装置の記憶内容を保存するとともに、前記主記憶装置に対して適宜保存内容を供給する外部記録装置において、
（１）〜（３）に記載の自動実行制御装置を備えたことを特徴とする。
【００２０】
この構成においては、外部記録媒体に対する自動実行処理のオン／オフの制御が可能な自動実行制御装置が、外部記録媒体が装着される外部記録装置に内蔵されている。したがって、当該外部記録装置において使用される外部記録媒体がホスト装置に認識された時に意図しない自動実行処理が実行される等の不都合が防止される。
【００２１】
【発明の実施の形態】
以下、図を用いて本発明の自動実行制御装置の第１の実施形態として、本発明の自動実行制御装置を内蔵する外部記録装置を説明する。なお、以下の説明において外部記録装置とは、ハードディスク、ＣＤドライブ、ＤＶＤドライブ、フレキシブルドライブ、またはＭＯドライブ等の補助記録装置をいい、外部記録媒体とはＣＤ−ＲＯＭ、ＤＶＤ−ＲＯＭ、フレキシブルディスク、またはＭＯディスク等の補助記録媒体をいう。
【００２２】
図１は、第１の実施形態における外部記録装置１００の構成の概略を示す図である。同図に示すように、外部記録装置１００は、リムーバブルの外部記録媒体２１が装着される記録媒体装着部２０と、外部記録装置１００の動作を統括的に制御する制御部３０とを備えるとともに、本発明の自動実行制御装置１を内蔵している。
【００２３】
記録媒体装着部２０は、外部記録媒体２１に対して読出／書込処理をするためのヘッド部や当該ヘッド部を駆動させる駆動系等を備えている。制御部３０は、図示しないＣＰＵ、ＲＯＭ、およびＲＡＭ等を有しており、ＲＯＭに格納されたファームウェアに基づいて適宜ＣＰＵが外部記録装置１００の動作を制御する。
【００２４】
自動実行制御装置１は、ホスト側Ｉ／Ｆ制御部１１、媒体情報Ｉ／Ｆ制御部１２、通信制御部１３、起動情報制御部１４、および自動実行制御スイッチ１５を備えている。上述した自動実行制御装置１の構成要素の中で、ホスト側Ｉ／Ｆ制御部１１、媒体情報Ｉ／Ｆ制御部１２、および通信制御部１３によって本発明の起動情報供給手段が構成され、自動実行制御スイッチ１５によって本発明の設定手段が構成される。
【００２５】
ホスト側Ｉ／Ｆ制御部１１はホスト装置としてのＰＣとの間の通信の制御を行う。媒体情報Ｉ／Ｆ制御部１２は、外部記録装置１００の記録媒体装着部２０に装着される外部記録媒体２１との間の通信の制御を行う。ここで、従来では、外部記録媒体２１とホスト装置とがホスト側Ｉ／Ｆ制御部１１および媒体情報Ｉ／Ｆ制御部１２のみを介して接続されていたため、ホスト装置が外部記録媒体２１を認識したときに、例えばＣＤ−ＲＯＭのルートディレクトリ内のａｕｔｏｒｕｎ．ｉｎｆの記述内容等のＡＵＴＯＲＵＮの情報がそのままホスト装置側に供給されていた。なお、ここで、ＡＵＴＯＲＵＮとは、ＣＤ−ＲＯＭ等のルートディレクトリにａｕｔｏｒｕｎ．ｉｎｆというファイルを作成しておくと、このファイルにおいて指定した実行ファイルを自動的に起動する機能をいい、また、本実施形態ではこのＡＵＴＯＲＵＮが本発明の自動実行処理に相当し、原則的にＡＵＴＯＲＵＮ情報が本発明の起動情報に相当する。
【００２６】
ところが、この実施形態における外部記録装置１００では、ホスト側Ｉ／Ｆ制御部１１と媒体情報Ｉ／Ｆ制御部１２との間に通信制御部１３を配置しており、後述するように通信制御部１３によってホスト装置に供給される起動情報にユーザの意図が反映されるように創意工夫している。
【００２７】
自動実行制御スイッチ１５は、ユーザの意図をホスト装置に供給される起動情報に反映させるためのものであり、ユーザが任意にオン／オフを切り換えることが可能な通常のスイッチである。本実施形態では、ユーザが外部記録媒体２１の自動実行処理を望まない場合には自動実行制御スイッチ１５がオフに、また、ユーザが外部記録媒体２１の自動実行処理を望む場合には自動実行制御スイッチ１５がオンに設定される。そして、起動情報制御部１４は自動実行制御スイッチ１５の状態を検出するとともに、その検出結果を通信制御部１３に供給する。
【００２８】
上述の構成において、外部記録媒体２１が記録媒体装着部２０に装着されたことがホスト装置に認識されると、起動情報制御部１４は自動実行制御スイッチ１５のオン／オフの設定を検出し、検出結果に基づいて生成した起動情報を通信制御部１３に出力する。そして、通信制御部１３は起動情報制御部１４から入力される起動情報がホスト装置側に供給されるように通信の制御を行う。
【００２９】
本実施形態では通信制御部１３および起動情報制御部１４は、後述するようにホスト装置に供給する外部記録媒体のタイプに関する情報の変更、ホスト装置に供給する外部記録媒体２１の論理ユニット情報の変更、またはホスト装置に供給するＡＵＴＯＲＵＮ情報の読出権限の制御のいずれかを行う。これは、ホスト装置にインストールされているＯＳの仕様毎に上述のＡＵＴＯＲＵＮ情報の確認方法が異なっているため、通信制御部１３および起動情報制御部１４が各ＯＳの仕様に対応してＡＵＴＯＲＵＮの制御をすることを可能にするためである。
【００３０】
まず、ホスト装置に供給する外部記録媒体のタイプに関する情報の変更について説明する。これは、ホスト装置のＯＳが外部記録媒体２１のタイプの確認した後に、確認された外部記録媒体２１のタイプに基づいてＡＵＴＯＲＵＮを行うか否かを決定する場合に適用される処理である。具体的には、外部記録媒体のタイプがＣＤ−ＲＯＭやＨＤＤである場合には、通常ホスト装置のＯＳは論理ユニットをマウントするとともにルートディレクトリ等の所定の記憶領域にＡＵＴＯＲＵＮ情報が存在するか否かを確認するが、外部記録媒体のタイプがＭＯの場合には、ホスト装置のＯＳは論理ユニットのマウントのみを行いＡＵＴＯＲＵＮ情報が存在するか否かの確認は行わない。
【００３１】
このように、ホスト装置が認識した外部記録媒体のタイプによってホスト装置側の対応が異なる場合には、自動実行制御スイッチ１５の設定に基づいて通信制御部１３がホスト装置に供給する外部記録媒体２１のタイプに関する情報を変更することによりＡＵＴＯＲＵＮのオン／オフの制御が可能になる。
【００３２】
例えば、自動実行制御スイッチ１５がオフに設定されている場合には、常にホスト装置が認識した外部記録媒体のタイプがＭＯである旨の情報を通信制御部１３からホスト装置に供給して、ホスト装置が外部記録媒体２１のＡＵＴＯＲＵＮ情報を検出しないようにするとよい。これにより、実際はＣＤ−ＲＯＭ等のＡＵＴＯＲＵＮ情報を有する外部記録媒体が装着されているにもかかわらず、あたかもＭＯディスク等のＡＵＴＯＲＵＮ情報を有しない外部記録媒体が装着されているようにホスト装置に認識させることができ、結果として、外部記録装置２１についてユーザの意図しないＡＵＴＯＲＵＮが実行されることを防止できる。
【００３３】
次に、ホスト装置に供給する外部記録媒体２１の論理ユニット情報の変更について説明する。
【００３４】
図２は、外部記録媒体２１の記録領域の構成を示す図であるが、同図を用いて通信制御部１３による起動情報の制御の一例を説明する。同図に示すように外部記録媒体２１は物理的には所定容量の単一の記憶領域を有しているが、通信制御部１３は、論理上、複数の論理ユニット０〜ｎに分割されている。このように物理的な外部記録媒体２１の内部を複数の論理ユニットとして分離する場合、この複数の論理ユニットに関する情報は、外部記録媒体２１の記憶領域の先頭において論理ユニット情報として管理される。ここでは、ホスト装置側のＯＳがこの論理ユニット情報をリードする時に、この論理ユニット情報の内容を操作してＡＵＴＯＲＵＮのオン／オフの制御を行う。
【００３５】
同図に示すように論理ユニット０〜ｎのうち主に論理ユニット０のルートディレクトリには起動手順を記述したファイル（ａｕｔｏｒｕｎ．ｉｎｆ）等のＡＵＴＯＲＵＮ情報が格納されており、論理ユニット１のルートディレクトリには上述のＡＵＴＯＲＵＮ情報が含まれないように構成されている。
【００３６】
ここで、ホスト装置は外部記録媒体２１の論理ユニット情報に基づいて外部記録装置２１へのアクセスを行うところ、通信制御部１３は、ホスト装置に供給される外部記録媒体２１の論理ユニット情報を操作することにより、ＡＵＴＯＲＵＮのオン／オフの制御をする。具体的には、通信制御部１３は、自動実行制御スイッチ１５がオンの時には、ＡＵＴＯＲＵＮ情報が含まれる論理ユニット０の存在を論理ユニット情報を通じてホスト装置に認識させる（図中の矢印Ｒ１を参照。）。このとき、上述のように論理ユニット０のルートディレクトリには起動プログラムとしてのａｕｔｏｒｕｎ．ｉｎｆが存在するため、ホスト装置はａｕｔｏｒｕｎ．ｉｎｆの記述内容に基づいて自動実行処理を行う。
【００３７】
これに対して、通信制御部１３は、自動実行制御スイッチ１５がオフの時にはユーザが外部記録媒体２１の自動実行を望んでいない状態であるので、論理ユニット情報を通じてホスト装置に論理ユニット０の存在が認識されないようにする。この結果、ホスト装置は、論理ユニット情報に基づいて論理ユニット１にアクセスすることになる（図中の矢印Ｒ２を参照。）。このとき、論理ユニット１のルートディレクトリにはａｕｔｏｒｕｎ．ｉｎｆが存在しないため、ホスト装置は外部記録媒体２１を認識した際にも自動実行処理を行わない。このように論理ユニット情報を操作することで、ＡＵＴＯＲＵＮ情報が格納されている論理ユニット０の存在をホスト装置に認識させるか否かの制御が可能になるため、自動実行制御スイッチ１５の設定内容に応じて容易にＡＵＴＯＲＵＮのオン／オフを制御を行うことができる。
【００３８】
最後にホスト装置に供給するＡＵＴＯＲＵＮ情報の読出権限の制御を説明する。ここで、ＡＵＴＯＲＵＮ情報の読出権限の制御とは、ホスト装置側のＯＳがＡＵＴＯＲＵＮ情報をリードする場合、ホスト装置がこのＡＵＴＯＲＵＮ情報を読み出すことを許可するか否かを設定する操作をいう（以下、単にＡＵＴＯＲＵＮ情報の操作という。）すなわち、通信制御手部１３が、ホスト装置に対してＡＵＴＯＲＵＮ情報を開放するか否かを制御することによって、ＡＵＴＯＲＵＮのオン／オフを適正に制御することが可能になる。
【００３９】
図３は、本実施形態における外部記録装置１００の装置の動作手順を示すフローチャートである。同図に示すように、外部記録装置１００の電源投入時において起動情報制御部１４が自動実行制御スイッチ１５の設定内容を読み取る（ｓ１）。このとき、起動情報制御部１４は同時に自動実行制御スイッチ１５の設定内容を解析してホスト装置に供給すべき起動情報を生成する。
【００４０】
次に、外部記録装置１００がホスト装置側に物理的に接続している状態で、外部記録装置１００はホスト装置が外部記録装置２１を認識するまで待機する（ｓ２）。
【００４１】
ｓ２の待機工程において、ホスト装置が外部記録装置２１を認識すると、外部記録装置１００の通信制御部１３は、ホスト装置側のＯＳがどのような手法で外部記録媒体２１のＡＵＴＯＲＵＮ情報を確認するのかを検出し、それぞれのＯＳに対応するように起動情報の操作を行う。
【００４２】
具体的にはホスト装置の接続要求が外部記録媒体のタイプに関する情報の確認であるか否かを判断する（ｓ３）。ｓ３の判断工程において、ホスト装置の接続要求が外部記録媒体の情報の確認である場合には、通信制御部１３は、自動実行制御スイッチ１５の設定内容に基づいてホスト装置に供給する記録媒体のタイプに関する情報を操作する（ｓ９）。
【００４３】
ｓ３の判断工程において、ホスト装置の接続要求が外部記録媒体のタイプに関する情報の確認ではない場合には、通信制御部１３は、ホスト装置側が外部記録媒体２１の論理ユニット情報を確認しているか否かを判断する（ｓ４）。ｓ４の判断工程において、ホスト装置側が外部記録媒体２１の論理ユニット情報を確認している場合には通信制御部１３は、外部記録媒体２１の論理ユニット情報を速やかに取得し（ｓ６）、自動実行制御スイッチ１５の設定内容に基づいて取得した論理ユニットの情報の操作を行った後にホスト装置に供給する。
【００４４】
ｓ４の判断工程において、ホスト装置側が外部記録媒体２１の論理ユニット情報の確認ではない場合には、通信制御部１３はホスト装置がＡＵＴＯＲＵＮ情報を読出を行っているか否かを判断する（ｓ５）。
【００４５】
ｓ５の判断工程において、ホスト装置がＡＵＴＯＲＵＮ情報を読出を行っている場合には、通信制御部１３は速やかに外部記録媒体２１にアクセスしてＡＵＴＯＲＵＮ情報を確認するとともに（ｓ７）、自動実行制御スイッチ１５の設定内容に基づいて当該ＡＵＴＯＲＵＮ情報をホスト装置側に開放するか否かの決定を行う（ｓ１１）。一方、ｓ５の判断工程において、ホスト装置がＡＵＴＯＲＵＮ情報の読出を行なわない場合には、ホスト装置に対してそのままのＡＵＴＯＲＵＮ情報を供給する（ｓ８）。
【００４６】
通信制御部１３が上述のいずれの操作を行う場合でも、ホスト装置に供給すべき起動情報の編集が完了するまで待機し（ｓ１２）、起動情報の編集が完了した場合には、再度、外部記録装置１００はホスト側からのアクセスがあるまで待機する（ｓ１２→ｓ２）。
【００４７】
上述のように通信制御部１３が自動実行制御スイッチ１５の設定内容をもとに必要に応じてパソコン側に返す起動情報を操作する。なお、上述の実施形態においては、ホスト装置側の自動実行機能は、常に有効に設定されており、途中でホスト装置を操作してホスト装置側の自動実行機能に関する設定を調整する必要はない。また、上述の実施形態では外部記録媒体としてリムーバブルの記録媒体を用いているが、ハードディスク等の記録媒体であっても本発明の効果を好適に奏することが可能である。
【００４８】
図４は、第２の実施形態における外部記録装置の構成の概略を示している。第２の実施形態において、外部記録装置１００の基本構成は第１の実施形態における外部記録装置１００と同様である。ただし、第２の実施形態における外部記録装置１００では、第１の実施形態における自動実行制御スイッチ１５に代えて記録部１６が設けられている。記録部１６は、ＥＥＰＲＯＭ等の不揮発性のメモリであり、この実施形態では主に記録部１６によって本発明の設定手段が構成されている。記録部１６には各外部記録媒体毎に自動実行処理を行うか否かについてのユーザの意図を示した起動情報が記録される。なお、この記録部１６への情報の入力はホスト装置側から行うようにしている。
【００４９】
そして、起動情報制御部１４は、ホスト装置が外部記録媒体２１を認識したときに、認識された外部記録媒体２１の起動情報を記録部１６から取得してホスト装置側に供給すべき起動情報を生成する。このとき、各外部記録媒体の特定は各記録媒体に付与されているボリュームラベル、シリアル番号等によって各外部記録媒体に固有の情報を形成することにより行うようにすればよい。
【００５０】
なお、上述の実施形態では、自動実行制御スイッチ１５または記録部１６のいずれかを選択的に外部記録装置に設ける構成にしているが、自動実行制御スイッチ１５および記録部１６の両方を外部記録装置に設けることも可能である。なお、この場合、ユーザの使用上の便宜を考慮して、自動実行制御スイッチ１５の設定内容と不揮発性のメモリの記録内容とが矛盾するときには、自動実行制御スイッチ１５の設定内容が不揮発性のメモリの記録内容に優先するようにするとよい。
【００５１】
【発明の効果】
以上のように、この発明によれば、以下の効果を奏することができる。
【００５２】
（１）外部記録媒体がホスト装置に認識された時にこの外部記録媒体について自動実行処理を行うか否かの設定を、ホスト装置とは別個に配置される設定手段を介して行い、制御手段が設定手段における設定内容を解析するとともに、起動情報供給手段が当該解析結果に基づく起動情報をホスト装置側に供給することにより、前記設定手段を介してユーザが意図する設定内容を設定すると、ホスト装置が外部記録媒体を認識した際に、ユーザの意図どおりの起動情報をホスト装置側に供給することができるため、ホスト装置側で特段の操作を行うことがなくてもホスト装置に認識された外部記録媒体に係る自動実行処理のオン／オフ等の制御を簡易かつ迅速に実行することが可能になる。
【００５３】
（２）自動実行処理のオン／オフ等の設定を、自動実行制御装置におけるユーザの手が容易に届く位置に設けたスイッチのオン／オフを切り替えることによって行うことにより、ホスト装置に接続される外部記録媒体が多数種類ある場合でも、それぞれの外部記録媒体をホスト装置に認識させる際にスイッチの切替を行うことで、容易に当該外部記録媒体に係る自動実行処理のオン／オフ等の制御を実行することが可能になる。
【００５４】
（３）ホスト装置に接続される複数の外部記録媒体のそれぞれに付与されているボリュームラベルやシリアル番号等の各外部記録媒体を特定する情報と各外部記録媒体の自動実行処理の設定内容との対応関係を記録部に記録し、制御手段が前記記録部の記録内容に基づいてホスト装置が認識した外部記録媒体について自動実行処理を行うか否かを解析し、起動情報供給手段が当該解析結果に基づく起動情報をホスト装置側に供給することにより、予め必要な範囲で各外部記録媒体について自動実行処理のオン／オフの制御に係る起動情報を記録部に記録しておくことで、それ以後に特段の操作を行うことなく当該外部記録媒体について意図どおりの自動実行処理の制御を行うことが可能になる。
【００５５】
（４）外部記録媒体に対する自動実行処理のオン／オフの制御が可能な自動実行制御装置を、外部記録媒体が装着される外部記録装置に内蔵させたことにより、当該外部記録装置において使用される外部記録媒体がホスト装置に認識された時に意図しない自動実行処理が実行される等の不都合を防止することが可能になる。
【００５６】
よって、ホスト装置に認識される外部記録媒体毎に簡易かつ迅速に自動実行処理のオン／オフの切替が可能な自動実行制御装置および外部記録装置を提供することができる。
【図面の簡単な説明】
【図１】第１の実施形態における外部記録装置の構成の概略を示す図である。
【図２】外部記録媒体の構成の概略を示す図である。
【図３】外部記録装置の動作手順を示すフローチャートである。
【図４】第２の実施形態における外部記録装置の構成の概略を示す図である。
【符号の説明】
１−自動実行制御装置
１１−ホスト側Ｉ／Ｆ制御部
１２−媒体情報Ｉ／Ｆ制御部
１３−通信制御部
１４−起動情報制御部
１５−自動実行制御スイッチ
２０−記録媒体装着部
２１−外部記録媒体
１００−外部記録装置
【図１】
2004213427.tif 000003
【図２】
2004213427.tif 000004
【図３】
2004213427.tif 000005
【図４】
2004213427.tif 000006